(57)【要約】  【課題】粉末シール片のシール材片を、従来の極めて高価なポリテトラフルオロエチレン製シール材片に替えて、本発明超極細繊維不織布製シール材片を開発したことにより、性能を損なうことなく格段なコストダウンを可能として、従来の課題を解決した。  【解決手段】トナーケース等の回転軸１の軸受部凹部６の内面に固着して粉末のもれ出しをシールする粉末シール片において、そのシール材片８として、繊維の長手方向に超細分割可能な素性を有する合成繊維を傾斜叩解法によりナノ単位に超極細繊維化したものを、不織布の加工方法であるウォータージェット法により繊維相互を交絡させて得た、紙状の超極細繊維不織布を用いると共に、該不織布表面長手方向に形成される平行線状凸条１０をシール材片８の表面の長手方向に合せて備えた、粉末シール片Ａによって課題を解決した。【選択図】図１
2008164064.tif 000002
【特許請求の範囲】
【請求項１】
トナーケース等の回転軸の軸受部の凹部の内面に固着して粉末のもれ出しをシールするのに用いる短冊片状の粉末シール片の幅及び長さに見合った寸法の短冊片状で弾力性のある発泡プラスチック、ゴム、若しくはフェルト等からなるホルダーを中心として、
該ホルダーの表面に粉末の侵入をシールするシール材片を容易に剥離しない状態に固着し、裏面に両面接着テープの片面を固着すると共に該両面接着テープの他方面に剥離紙を接着して、前記４者を積層構成したものを、平面状若しくは凹部の形状に略見合ったＪ形、Ｕ形、Ｃ形の形状に設けたものである粉末シール片において、
上記のシール材片として、繊維の長手方向に超細分割可能な素性を有する合成繊維を傾斜叩解法によりナノ単位に超極細繊維化したものを、不織布の加工方法であるウォータージェット法により繊維相互を交絡させて得た、紙状の超極細繊維不織布を用いると共に、
該超極細繊維不織布を製造するときに、該紙状製品の表面長手方向に形成される極狭巾で等間隔の平行線状凸条をシール材片表面の長手方向に合せて備えたことを特徴とする、回転軸の粉末シール片。
【請求項２】
シール材片は、繊維の長手方向に超細分割可能な素性を有するアクリル、ポリエステル、セルロース、ナイロン等の合成繊維を傾斜叩解法により５０〜５００ナノ（ｎ：１０億分の1：１０マイナス９乗）までファブリル化（超極細繊維化・横断面不整形）したものを、不織布の加工方法であるウォータージェット法により繊維相互を交絡させて得た、紙状の超極細繊維不織布を用いると共に、該超極細繊維不織布を製造するときに、該紙状製品の表面長手方向に形成される巾０.５ｍｍ位で等間隔の平行線状凸条をシール材片表面の長手方向に合せて備えたものである、
請求項１の回転軸の粉末シール片。
【発明の詳細な説明】
【技術分野】
【０００１】
複写機、ファックス、プリンター等におけるトナーカートリッジ等の回転軸の周面に付着した粉末(例、トナー)が軸受部に混入して回転の妨げにならないように、軸受部の内側に取付けて粉末の侵入をシールする粉末シール片に係り、
該粉末シール片のシール材片として、アクリル等の合成繊維をナノ単位に超極細繊維化したものを、不織布の加工方法により繊維相互を交絡させて得た、紙状の超極細繊維不織布を用いると共に、該超極細繊維不織布表面の平行線状凸条をシール材片の表面長手方向に合せて備えたことを特徴とする、回転軸の粉末シール片に係るものである。
【背景技術】
【０００２】
現在、複写機、ファックス、プリンター等において、粉末（例、トナー即ちカーボン微粉末）を充填した長方形箱状等のケースにマグネットローラー、転写ローラー等の回転軸をセットしたトナーカートリッジ等が広く用いられているが、
長期間の使用により、これらの回転軸１の周面に付着した粉末２が軸受部３に混入して回転の妨げにならないように、通常、軸受部３の内側（例、トナー槽の左右側板４）に粉末２をシールするシール部５を設けて、該シール部５から軸受部３側へ粉末がもれ出ないようにしている。
【０００３】
該シール部５は回転軸１をトナーケース等の正面側若しくは上面側から嵌合取付けするＪ字形等の凹部６を形成し、該凹部６の内周面に、粉末のもれをシールする粉末シール片を一体的に接着してある。（図４、図５参照）
【０００４】
そして、従来、粉末シール片のシール材片として弾力性があって摩擦抵抗が極めて少なく、耐久性に秀れ、高密度に絡合した繊維が微粉末の侵入を有効に防御する作用を行う等の秀れた特性を兼備したポリテトラフルオロエチレン(登録商標「テフロン」)製の短冊状のフイルム片若しくはフェルト片を使用している。
【０００５】
上記粉末シール片は、メーカーによって多少相違するが、例えば、幅１０ｍｍ位、長さ４５ｍｍ位、厚さ１ｍｍ位の上記シール材片８と厚さ３ｍｍ位の発泡プラスチック片等のホルダー９を容易に剥離しない状態に積層形成したものの裏面に両面接着フイルム７の片面を接着（他方面に剥離紙７ａを接着）したものであり、
該粉末シール片を、上記シール部５の凹部６の内周面に、両面接着フイルム７の他方面（剥離紙７ａを剥がして）を固着して取付けたものである。（図１参照）
【０００６】
而して、上記従来のシール材片としてポリテトラフルオロエチレン製のフイルム片若しくはフェルト片を使用した粉末シール片は、そのポリテトラフルオロエチレンのフイルム片若しくはフェルト片が１万円札大で１万円すると言われる位に極めて高価であり、厚さが増すほど高価になるため、通常、他の素材（ホルダー）と組み合わせて使用しているが、それでもなお、コスト高になることが一番の大きな課題とされてきたものである。
【特許文献１】特願２００１−５９５７５
【特許文献２】特願２００１−２０８２０６
【特許文献３】特願２００３−２７５３７２
【発明の開示】
【発明が解決しようとする課題】
【０００７】
「紙状の超極細繊維不織布」
一方、近時、極めて優れた特性・性能を有するワイピング・クリーニング用（オート・ハンドの両方に対応可能）の素材として開発されたものとして、下記のような特殊な不織布がある。
該不織布は、繊維の長手方向に超細分割可能な素性を有するアクリル、ポリエステル、セルロース、若しくはナイロン等の合成繊維を傾斜叩解法によりナノ単位（ｎ：１０億分の1：１０マイナス９乗）例えば５０〜５００ナノまで超極細繊維化（ファブリル化・横断面不整形）したものを、不織布の加工方法であるウォータージェット法により繊維相互を交絡させて製造した、紙状の超極細繊維不織布（ナノ繊維不織布）である。
【０００８】
該超極細繊維不織布は交絡した超極細繊維からなる紙状のものであるため、紙の長所としての高精度均一性と、不織布の長所としての布状のソフトな感触を併せ持ち、
よって、その組成超極細繊維がワイピング・クリーニングの対象物面に対し極めて緻密に接触できるため、対象物面に付着する異物・汚れを組成超極細繊維間に取込むことによって、極めて高精度なワイピング・クリーニング特性（オート・ハンド両方に対応可能）を発揮するものである。
【０００９】
そのため、近時、その特性に着眼して、例えば、各種事業所のオフィス・工場等の業務用ワイピング・クリーニング用材として、ＯＡ機器・設備等の払拭清掃、製造ライン・製造現場等の払拭清掃、特に、各種レンズ・ガラス製品等の払拭清掃等に、
また、家庭用として、パソコン・ＡＶ機器等の払拭清掃、洗車（窓ガラス・ボディ・車内等）、キッチン掃除、特に、窓ガラス・メガネ等のワイパーとして、急速かつ広範囲に普及されているものである。
【００１０】
そこで、本発明は、上記超極細繊維不織布（ナノ繊維不織布）の上記のような極めて優れたワイピング・クリーニング特性に着眼し、もって、回転軸の軸受部の内面に取付けて粉末の侵入をシールする粉末シール片の超極細繊維不織布製のシール材片として開発したものであり、
【００１１】
即ち、シール材片として、上記従来の極めて高価なポリテトラフルオロエチレン(登録商標「テフロン」)製のフイルム片若しくはフェルト片を使用することを止めて、極めて安価な上記超極細繊維不織布（ナノ繊維不織布）を使用することによって、粉末シール片の画期的なコストダウンを実現し、もって、従来の課題を有功に解決したものである。
【課題を解決するための手段】
【００１２】
本発明は、トナーケース等の回転軸の軸受部の凹部の内面に固着して粉末のもれ出しをシールするのに用いる短冊片状の粉末シール片の幅及び長さに見合った寸法の短冊片状で弾力性のある発泡プラスチック、ゴム、若しくはフェルト等からなるホルダーを中心として、該ホルダーの表面に粉末の侵入をシールするシール材片を容易に剥離しない状態に固着し、裏面に両面接着テープの片面を固着すると共に該両面接着テープの他方面に剥離紙を接着して、前記４者を積層構成したものを、平面状若しくは凹部の形状に略見合ったＪ形、Ｕ形、Ｃ形の形状に設けたものである粉末シール片において、
【００１３】
上記のシール材片として、繊維の長手方向に超細分割可能な素性を有する合成繊維を傾斜叩解法によりナノ単位に超極細繊維化したものを、不織布の加工方法であるウォータージェット法により繊維相互を交絡させて得た、紙状の超極細繊維不織布を用いると共に、
【００１４】
該超極細繊維不織布を製造するときに、該紙状製品の表面長手方向に形成される極狭巾で等間隔の平行線状凸条をシール材片表面の長手方向に合せて備えたことを特徴とする、回転軸の粉末シール片によって課題を解決したものである。
【発明の効果】
【００１５】
粉末シール片のシール材片として、紙状の超極細繊維不織布（ナノ繊維不織布）を用いたものであるため、該不織布が備えた紙の長所としての高精度均一性及び不織布の長所としての布状のソフトな接触性により、その組成超極細繊維が回転軸とその周面に極めて緻密に接触し、回転軸と該シール材片の間に進入して来る粉末(トナー)を組成超極細繊維間に効果的に取込むことによって、極めて高精度なワイピング・クリーニング特性（オート・ハンド両方に対応可能）を発揮して、粉末(トナー)の外部への漏出を有効に防止し得る極めて優れた効果がある。
【００１６】
また、該超極細繊維不織布を製造するときに、該紙状製品の表面長手方向に形成される極狭巾で等間隔の平行線状凸条をシール材片表面の長手方向に合せて備えたので、該平行線状凸条の各頂部が回転軸の周面に密に圧接して粉末(トナー)を効果的に掻き取ると共に、平行した凸条間の各谷部に粉末(トナー)を効果的に取込み、これら作用の相乗によって、ワイピング・クリーニング効果、及び、粉末(トナー)の外部漏出防止効果を格段に助長し得る。
【００１７】
特に、超極細繊維不織布製のシール材片は、上記のようにその特性が従来の極めて高価なポリテトラフルオロエチレン(登録商標「テフロン」)製のフイルム片若しくはフェルト片製のシール材片に比して勝るとも劣らない上、コストが数十分の一以上安価であるため、粉末シール片を極めてローコストに提供して従来の課題を解決し得る。
【発明を実施するための最良の形態】
【００１８】
粉末シール片の性能を損なうことなくコストダウンする目的を、粉末シール片のシール材片を、従来の極めて高価なポリテトラフルオロエチレン(登録商標「テフロン」)製のフイルム片若しくはフェルト片製のシール材片に替えて、性能に優劣なく極めて安価な超極細繊維不織布製（ナノ繊維不織布）のシール材片を開発することによって実現した。
【実施例１】
【００１９】
図１は本発明実施例粉末シール片(Ｊ形)Ａの正面図、平面図、及び右側面図、図２は図１の展開正面図、図３は図２のＢ−Ｂ線拡大断面図、図４は実施例粉末シール片をシール部に取付けた一部切断正面図、図５は図４のＣ−Ｃ線断面図である。
【００２０】
トナーケース等の回転軸１の軸受部３の凹部６の内面に固着して粉末のもれ出しをシールするのに用いる短冊片状の粉末シール片の幅及び長さに見合った寸法の短冊片状で弾力性のある発泡プラスチック、ゴム、若しくはフェルト等からなるホルダー９を中心として、該ホルダー９の表面に粉末２の侵入をシールするシール材片８を容易に剥離しない状態に固着し、裏面に両面接着テープ７の片面を固着すると共に該両面接着テープ７の他方面に剥離紙７ａを接着して、前記４者９、８、７、７ａを積層構成したものを、平面状若しくは凹部６の形状に略見合ったＪ形、Ｕ形、Ｃ形の形状に設けたものである粉末シール片において、
【００２１】
上記のシール材片８として、繊維の長手方向に超細分割可能な素性を有する合成繊維を傾斜叩解法によりナノ単位に超極細繊維化したものを、不織布の加工方法であるウォータージェット法により繊維相互を交絡させて得た、紙状の超極細繊維不織布を用いると共に、
【００２２】
該超極細繊維不織布を製造するときに、該紙状製品の表面長手方向に形成される極狭巾で等間隔の平行線状凸条１０をシール材片８の表面の長手方向に合せて備えた、回転軸１の粉末シール片Ａである。
【００２３】
シール材片８は、例えば、繊維の長手方向に超細分割可能な素性を有するアクリル、ポリエステル、セルロース、若しくは、ナイロン等の合成繊維を傾斜叩解法により５０〜５００ナノ（ｎ：１０億分の1：１０マイナス９乗）までファブリル化（超極細繊維化・横断面不整形）したものを、不織布の加工方法であるウォータージェット法により繊維相互を交絡させて得た、紙状の超極細繊維不織布を用いると共に、該超極細繊維不織布を製造する（漉く）ときに、該紙状製品の表面長手方向に形成される巾０.５ｍｍ位で等間隔の平行線状凸条１０をシール材片８表面の長手方向（回転軸線と直角方向）に合せて備えたものである。
【産業上の利用可能性】
【００２４】
複写機、ファックス、プリンター等におけるトナーカートリッジ等の回転軸の粉末シール片として、超極細繊維不織布製（ナノ繊維不織布）を用いた本発明粉末シール片を開発したことによって、従来の極めて高価なポリテトラフルオロエチレン(登録商標「テフロン」)を用いた粉末シール片に替えて、性能に優劣なく格段に安価な粉末シール片を提供できる。
【図面の簡単な説明】
【００２５】
【図１】本発明実施例粉末シール片(Ｊ形)の正面図、平面図、及び右側面図。
【図２】図１の展開正面図。
【図３】図２のＢ−Ｂ線拡大断面図。
【図４】粉末シール片をシール部に取付けた一部切断正面図。
【図５】図４のＣ−Ｃ線断面図。
【符号の説明】
【００２６】
Ａ  実施例(Ｊ形)の粉末シール片
１    回転軸
２    粉末(トナー)
３    軸受部
４    側板
５    シール部
６    凹部
７    両面粘着テープ
７ａ  剥離紙
８    シール材片（超極細繊維不織布製）
９    ホルダー
１０  平行線状凸条
【図１】
2008164064.tif 000003
【図２】
2008164064.tif 000004
【図３】
2008164064.tif 000005
【図４】
2008164064.tif 000006
【図５】
2008164064.tif 000007